(57)【要約】【課題】縦筋と横筋とが斜めに交差したコンクリート舗装用のメッシュを容易に製造することの可能な金網溶接装置を提供する。【解決手段】縦筋２をピッチ搬送する縦筋送り手段１０と、ピッチ搬送される縦筋２に対して横筋３を供給する横筋供給手段２０と、縦筋２と横筋３とを溶接する溶接手段３０とを有し、コンクリート舗装用のメッシュを製造する金網溶接装置１００であって、横筋供給手段２０が横筋３を縦筋２に対して斜めに供給し、溶接手段３０が横筋３を縦筋２に対して斜めに溶接する。縦筋２と横筋３との角度が変更可能であることが好ましい。【選択図】図５
2020199552.tif 000002
【特許請求の範囲】
【請求項１】
複数本の縦筋が道路の進行方向に平行に配置され、複数本の横筋が道路の進行方向に対して斜めに配置されて、舗装道路における被舗装面にコンクリート舗装用鉄筋として敷設されるコンクリート舗装用メッシュの製造設置方法であって、
所定間隔で縦筋をピッチ搬送し、ピッチ搬送される縦筋に対して所定間隔で横筋を前記縦筋に対して斜めに供給し、前記横筋を前記縦筋の上側に前記縦筋に対して斜めに溶接して前記メッシュを製造し、
被舗装面への設置時に横筋が縦筋の下側になった状態に前記メッシュを裏返すことを特徴とするコンクリート舗装用メッシュの製造設置方法。
【発明の詳細な説明】
【技術分野】
【０００１】
本発明は、コンクリート舗装用のメッシュ（バーメッシュ）を溶接する金網溶接装置に関するものである。
【背景技術】
【０００２】
従来、コンクリート舗装の施工に際し、コンクリート内部に鉄筋を敷設することにより、コンクリート版を補強し、またクラック等を防止するようになっている。この鉄筋は、縦筋と横筋とから構成されており、舗装されたコンクリート内部の所定の高さに平面状に敷設されている。
【０００３】
こうした鉄筋を敷設したコンクリート舗装の施工は、通常次のような手順で行われる。まず、コンクリート舗装の施工前の被舗装面の複数位置に、鉄筋を所定の高さに支持するための複数のスペーサーを設置する。次に、設置した複数のスペーサーの上に、複数本の横筋を所定の間隔を空けて平行に配置する。次に、配置した複数本の横筋の上に、複数本の縦筋を所定の間隔を空けて平行に配置する。配置した横筋と縦筋の交差部分は針金等により結束する。このようにして、複数のスペーサーの上に、横筋及び縦筋が網目状に配置される。そして、コンクリートを打設して舗装する。
【０００４】
また、横筋は道路の進行方向に対して直角に配置されるものもあるが、近年はクラック等の防止効果を高めるために、進行方向に対して斜めに配置されることが多い。図１２は、上り車線８及び下り車線９からなる舗装道路の被舗装面に、複数本の縦筋２及び複数本の横筋３を敷設した状態を示す平面図であり、横筋３が縦筋２に対して斜めに交差している。
【０００５】
一方、特許文献１には、次にスポット溶接を行う横筋が溶接位置にあることを確実に確認して溶接することで、所謂２度打ちを確実に防止することのできる横筋溶接装置に関する発明が記載されている。
【０００６】
また、特許文献２には、溶接電極のピッチ変更を容易に行うことのできる金網溶接装置に関する発明が記載されている。
【先行技術文献】
【特許文献】
【０００７】
【特許文献１】特開２００２−２１９５４３号公報
【特許文献２】特開２００５−３１９５００号公報
【発明の概要】
【発明が解決しようとする課題】
【０００８】
ところで、従来のように、コンクリート舗装の施工前の被舗装面に複数のスペーサーを設置し、その上に複数本の横筋及び複数本の縦筋を配置していく方法は、各鉄筋の配置位置の調整や結束作業等の負担が大きかった。そのため、予め縦筋と横筋とを溶接したメッシュを用意しておいて、施工現場でメッシュを並べていく方法によれば、効率的に作業することができる。
【０００９】
ここで、メッシュを製造するために縦筋と横筋とが交差する場所を一つ一つ溶接していくには非常に労力を必要とするため、金網溶接装置により製造するのが現実的である。しかしながら、特許文献１や特許文献２にあるような従来の金網溶接装置は、縦筋と横筋とを直角に交差させた状態で溶接するものであって、図１２に示すような鉄筋配置を行うための、縦筋と横筋とが斜めに交差したメッシュを製造することはできない。特に、コンクリート舗装用のメッシュ（バーメッシュ）は比較的太い鉄筋であるため、専用の金網溶接装置が必要になる。
【００１０】
本発明は、上記従来の課題を解決するものであり、縦筋と横筋とが斜めに交差したコンクリート舗装用のメッシュを容易に製造することの可能な金網溶接装置を提供するものである。
【課題を解決するための手段】
【００１１】
上記課題を解決するため、本発明の金網溶接装置は、縦筋をピッチ搬送する縦筋送り手段と、ピッチ搬送される縦筋に対して横筋を供給する横筋供給手段と、前記縦筋と前記横筋とを溶接する溶接手段とを有し、コンクリート舗装用のメッシュを製造する金網溶接装置であって、前記横筋供給手段が前記横筋を前記縦筋に対して斜めに供給し、前記溶接手段が前記横筋を前記縦筋に対して斜めに溶接することを特徴とする。
【００１２】
また好ましくは、前記縦筋と前記横筋との角度が変更可能であることを特徴とする。
【発明の効果】
【００１３】
本発明の金網溶接装置は、縦筋をピッチ搬送する縦筋送り手段と、ピッチ搬送される縦筋に対して横筋を供給する横筋供給手段と、縦筋と横筋とを溶接する溶接手段とを有している。そして、横筋供給手段が横筋を縦筋に対して斜めに供給し、溶接手段が横筋を縦筋に対して斜めに溶接するようになっているので、縦筋と横筋とが斜めに交差したコンクリート舗装用のメッシュを製造することができる。
【００１４】
また、縦筋と横筋との角度が変更可能である場合には、交差角度の異なる様々なメッシュを製造することができる。
【００１５】
以上、本発明によれば、縦筋と横筋とが斜めに交差したコンクリート舗装用のメッシュを容易に製造することができる。
【図面の簡単な説明】
【００１６】
【図１】メッシュを示す平面図である。
【図２】メッシュを示す平面図である。
【図３】メッシュの溶接部分を示す拡大平面図である。
【図４】メッシュの溶接部分を示す拡大断面図である。
【図５】本発明の実施形態に係る金網溶接装置の全体構成を示す平面図である。
【図６】本発明の実施形態に係る金網溶接装置の全体構成を示す側面図である。
【図７】引出台車を示す平面図である。
【図８】引出台車のチャックアームを示す拡大側面図である。
【図９】横筋供給機及び溶接機を示す平面図である。
【図１０】横筋供給機及び溶接機を示す正面図である。
【図１１】横筋供給機及び溶接機を示す側面図である。
【図１２】舗装道路の被舗装面に鉄筋を敷設した状態を示す平面図である。
【発明を実施するための形態】
【００１７】
次に、図１乃至図１２を参照して、本発明の実施形態に係る金網溶接装置について説明する。
【００１８】
本実施形態に係る金網溶接装置は、舗装道路における被舗装面にコンクリート舗装用鉄筋として敷設されるメッシュを製造するためのである。図１２は、上り車線８及び下り車線９からなる舗装道路の被舗装面に、複数本の縦筋２及び複数本の横筋３を敷設した状態を示す平面図であり、複数本の縦筋２が道路の進行方向に平行に配置され、複数本の横筋３が道路の進行方向に対して斜めに配置されるようになっている。
【００１９】
（メッシュ）
まず、本実施形態に係る金網溶接装置で製造するメッシュについて説明する。図１及び図２に示すように、本実施形態におけるメッシュは、複数本の縦筋２と縦筋２に対して連結された複数本の横筋３とから構成されており、金網状に形成されている。複数本の縦筋２は互いに平行に配置されている。同様に複数本の横筋３は互いに平行に配置されている。そして、複数本の横筋３が複数本の縦筋２に対して斜めに連結されている。
【００２０】
縦筋２と横筋３との交差部分は溶接により連結されている。メッシュ１は、被舗装面への設置や運搬等を考慮した適当な大きさに形成する。なお、メッシュ１の端部には、隣接するメッシュとのオーバーラップとなるように、縦筋２及び横筋３が突出している。また、図１と図２とでは、設置する場所に対応するように、メッシュ１の突出位置が異なっている。
【００２１】
図３及び図４は、それぞれメッシュ１の溶接部分を示す拡大平面図及び拡大断面図である。横筋３は縦筋２に対して角度θをなすように、斜めに連結されている。角度θは適宜設定可能であるが、６０度とすることが好ましい。また、図３及び図４は被舗装面への設置時の向きを示しており、横筋３が縦筋２の下側になった状態となっている。
【００２２】
（金網溶接装置の全体構成）
次に、図５及び図６を参照して、本発明の実施形態に係る金網溶接装置の全体構成について説明する。図５及び図６は、本実施形態に係る金網溶接装置１００の全体構成を示す平面図及び側面図である。なお、以下において「上流側」及び「下流側」とは縦筋の搬送方向に基づくものであり、図５及び図６における右側を「上流側」、左側を「下流側」と称する。
【００２３】
金網溶接装置１００は主として、縦筋送り手段を構成する引出台車１０、横筋供給手段を構成する横筋供給機２０及び溶接手段３０を構成する溶接機３０から構成されている。
【００２４】
引出台車１０は、左右に設置された走行レール１２，１２に沿って移動するようになっており、搬送される縦筋を上流側から下流側に向けてピッチ搬送するものである。横筋供給機２０は、ピッチ搬送される縦筋に対して横筋を供給するものである。溶接機３０は、縦筋と横筋とを溶接して連結するものである。縦筋供給手段を構成する引出台車１０、横筋供給手段を構成する横筋供給機２０及び溶接手段を構成する溶接機３０の詳細については後述する。
【００２５】
また、金網溶接装置１００の上流側から下流側に向けて、複数の縦筋架台４、搬送ローラー付油圧リフター５，６及び機外フリーローラー７が設置されている。
【００２６】
縦筋架台４は、溶接前の縦筋を載置する架台であって、複数の縦筋架台４に載置された縦筋が縦筋送り手段を構成する引出台車１０により上流側から下流側に搬送される。
【００２７】
搬送ローラー付油圧リフター５，６は、溶接機３０で溶接されて出てきたメッシュを搬送するためのものであり、油圧リフターによって上下させることにより、複数枚のメッシュを積み上げることができるようになっている。
【００２８】
機外フリーローラー７は、最終的に金網溶接装置１００から出てきたメッシュを搬送するためのものである。
【００２９】
（縦筋送り手段）
次に、図７及び図８を参照して、縦筋送り手段を構成する引出台車１０について詳細に説明する。図７は引出台車１０を示す平面図であり、図８は引出台車１０のチャックアーム１１を示す拡大側面図である。なお、図７及び図８では、溶接機３０から出てきたメッシュ１を記載している。
【００３０】
引出台車１０は、平面視略直角三角形状の台車であり、左右（図７における上下）に設置された走行レール１２，１２に沿って移動するようになっている。引出台車１０の上流側に向いた斜辺部分には、複数（本実施形態では６本）のチャックアーム１１が上流側に突出するように設けられている。複数のチャックアーム１１の長さは等しく、その先端を結ぶと引出台車１０の斜辺部分と平行になる。
【００３１】
チャックアーム１１の先端は鉤状に形成されており、チャックアーム１１の先端を溶接機３０から出てきたメッシュ１の横筋３に引っ掛けた状態で引出台車１０を下流側に移動させることにより、横筋３に溶接された縦筋２を上流側から下流側に向けて搬送するようになっている。なお、引出台車１０の移動は、縦筋をピッチ搬送するように制御される。
【００３２】
（横筋供給手段及び溶接手段）
次に、図９乃至図１０を参照して、横筋縦筋送り手段を構成する横筋供給機２０及び溶接手段を構成する溶接機３０について詳細に説明する。図９乃至図１１はそれぞれ、横筋供給機２０及び溶接機３０を示す平面図、正面図及び側面図である。なお、図９及び図１０では、必要に応じてメッシュ１を構成する縦筋２及び横筋３を記載している。また、説明の都合上一部の記載を簡略化又は省略している。
【００３３】
横筋供給機２０は、横筋保持部２２に複数の横筋２を保持しており、横筋送り部２１を経由して所定間隔で溶接機３０に向けて横筋を供給するようになっている。溶接機３０には、上下の溶接電極３１，３２が複数（本実施形態では１２）設けられており、溶接電極３１，３２の間に、ピッチ搬送される縦筋２及び横筋供給機２０から供給される横筋３を挟み込んで溶接するようになっている。また溶接機３０には、搬送される縦筋２を各溶接電極３１，３２の間に誘導するための複数の縦筋ガイド部３３が設けられている。
【００３４】
なお、引出台車１０の移動による縦筋２のピッチ搬送タイミング、横筋供給機２０の横筋３の供給タイミング、溶接機３０の溶接タイミングは、図示しない制御盤によって制御されており、予め設定した所定の間隔を空けて縦筋２と横筋３が溶接されるようになっている。
【００３５】
ここで、図９に示すように、横筋供給機２０及び溶接装置３０は、金網溶接装置１００の長手方向、すなわち縦筋２の搬送方向に対して、斜めに傾いた状態で設置されている。従って、横筋供給機２０から供給される横筋３は、ピッチ搬送される縦筋２に対して斜めに交差するように供給される。また、溶接機３０の複数の溶接電極３１，３２の位置を結んだ線は、金網溶接装置１００の長手方向、すなわち縦筋２の搬送方向に対して斜めになっており、溶接機３０は横筋３を縦筋２に対して斜めに交差するように溶接する。
【００３６】
以上の構成により、本実施形態に係る金網溶接装置１００は、上流側からピッチ搬送される縦筋２に対して横筋３を斜めに供給して溶接することにより、縦筋２と横筋３とが斜めに交差したコンクリート舗装用のメッシュ１を製造することができるようになっている。なお、金網溶接装置１００は、横筋３を縦筋２の上側に溶接するため、被舗装面への設置時には、横筋３が縦筋２の下側になった状態に裏返される。
【００３７】
また、横筋供給機２０及び溶接機３０の縦筋２の搬送方向に対する傾斜角度は、適宜設定可能であるが、６０度とすることが好ましい。さらに、縦筋２と横筋３との角度を変更できるように、例えば横筋供給機２０及び溶接機３０の傾斜角度を調整可能に構成することが好ましい。
【００３８】
また、縦筋２の間隔を変更できるように、複数の溶接電極３１，３２の間隔及び複数の縦筋ガイド部３３の間隔を調整可能に構成することが好ましい。
【００３９】
本実施形態に係る金網溶接装置１００によれば、縦筋２をピッチ搬送する縦筋送り手段（引出台車１０）と、ピッチ搬送される縦筋２に対して横筋３を供給する横筋供給手段（横筋供給機２０）と、縦筋２と横筋３とを溶接する溶接手段（溶接機３０）とを有している。そして、横筋供給手段が横筋２を縦筋３に対して斜めに供給し、溶接手段が横筋３を縦筋２に対して斜めに溶接するようになっているので、縦筋２と横筋３とが斜めに交差したコンクリート舗装用のメッシュ１を製造することができる。
【００４０】
また、縦筋２と横筋３との角度が変更可能である場合には、交差角度の異なる様々なメッシュ１を製造することができる。
【００４１】
以上、本実施形態に係る金網溶接装置１００によれば、縦筋２と横筋３とが斜めに交差したコンクリート舗装用のメッシュ１を容易に製造することができる。
【００４２】
以上、本発明の実施形態に係る金網溶接装置について説明したが、本発明は上述した実施の形態に限定されるわけではなく、その他種々の変更が可能である。例えば、本実施形態では縦筋送り手段を引出台車１０により構成したが、搬送ローラーにより搬送するようにしてもよい。
【符号の説明】
【００４３】
１  メッシュ
２  縦筋
３  横筋
４  縦筋架台
５  搬送ローラー付油圧リフター
６  搬送ローラー付油圧リフター
７  機外フリーローラー
８  上り車線
９  下り車線
１０  引出台車
１１  チャックアーム
１２  走行レール
２０  横筋供給機
２１  横筋送り部
２２  横筋保持部
３０  溶接機
３１  溶接電極
３２  溶接電極
３３  縦筋ガイド部
１００  金網溶接装置
【図１】
2020199552.tif 000003
【図２】
2020199552.tif 000004
【図３】
2020199552.tif 000005
【図４】
2020199552.tif 000006
【図５】
2020199552.tif 000007
【図６】
2020199552.tif 000008
【図７】
2020199552.tif 000009
【図８】
2020199552.tif 000010
【図９】
2020199552.tif 000011
【図１０】
2020199552.tif 000012
【図１１】
2020199552.tif 000013
【図１２】
2020199552.tif 000014